(57)【要約】【課題】保持器の柱部の傾斜連結部との接触によるころの外周面の油膜切れを抑制して耐摩耗性、耐焼付性の向上を図ることができる斜板式圧縮機のスラストころ軸受を提供する。【解決手段】斜板式圧縮機のシリンダのボス部５０、５５端面と斜板６０のボス部６１端面との間に配置される。内・外径側の両環状部２１、２２と、これら両環状部２１、２２を連結しかつ複数のころ１１を転動可能に保持するポケット２３を区画形成する柱部２４とを有して断面Ｍ形状をなす保持器２０を備える。保持器２０の柱部２４は、径方向中間部２５と、径方向両側部２６と、傾斜連結部２７とを有する。柱部２４の傾斜連結部２７の端面には、周方向へ窪みかつ径方向両側部２６側から径方向中間部２５側へ向かって逐次深くなる傾斜状の底面３１を有する傾斜溝３０が形成される。これによって、ころ１１との接触を回避する。【選択図】図３
2010101443.tif 000002
【特許請求の範囲】
【請求項１】
斜板式圧縮機の回転部位に配置されるスラストころ軸受であって、
内・外径側の両環状部と、これら両環状部を連結しかつ複数のころを転動可能に保持するポケットを区画形成する柱部とを有する保持器を備え、
前記保持器の柱部は、径方向中間部と、径方向両側部と、これら径方向中間部及び径方向両側部を連結する傾斜連結部とを有し、
前記柱部の傾斜連結部の端面には、周方向へ窪みかつ前記径方向両側部側から前記径方向中間部側へ向かって逐次深くなる傾斜状の底面を有する傾斜溝が形成されていることを特徴とする斜板式圧縮機のスラストころ軸受。
【請求項２】
請求項１に記載の斜板式圧縮機のスラストころ軸受であって、
傾斜溝の底面の径方向両側部側に位置する片側縁はアール面又は湾曲面をもって傾斜連結部の端面に連続していることを特徴とする斜板式圧縮機のスラストころ軸受。
【請求項３】
請求項１又は２に記載の斜板式圧縮機のスラストころ軸受であって、
傾斜溝は、ポケットの打ち抜き加工と同時に形成されることを特徴とする斜板式圧縮機のスラストころ軸受。
【発明の詳細な説明】
【技術分野】
【０００１】
この発明は斜板式圧縮機のスラストころ軸受に関する。
【背景技術】
【０００２】
従来、斜板式圧縮機の回転部位に配置されるスラストころ軸受においては、例えば、特許文献１に開示されている。
この種の斜板式圧縮機のスラストころ軸受は、内・外径側の両環状部と、これら両環状部を連結しかつ複数のころを転動可能に保持するポケットを区画形成する柱部とを有する保持器を備えている。
そして、保持器の柱部は、径方向中間部と、径方向両側部と、これら径方向中間部及び径方向両側部を連結する傾斜連結部とを有している。
【特許文献１】特開２０００−２１３５４６号公報
【発明の開示】
【発明が解決しようとする課題】
【０００３】
ところで、斜板式圧縮機のスラストころ軸受は、例えば、第１、第２の両シリンダのボス部端面と、斜板のボス部端面との間に両軌道輪を介して組み付けられ、スラストころ軸受にアキシャル荷重が負荷される。これによって、両軌道輪が円すい状に撓み、これら両軌道輪の間に組み付けられた保持器において、ころが柱部の傾斜連結部の端面に接触しやすくなり、ころの表面の油膜切れを生じる恐れがある。
【０００４】
この発明の目的は、前記問題点に鑑み、軸受回転時において、保持器の柱部の傾斜連結部との接触によるころの外周面の油膜切れを抑制して耐摩耗性、耐焼付性の向上を図ることができる斜板式圧縮機のスラストころ軸受を提供することである。
【課題を解決するための手段】
【０００５】
前記目的を達成するために、この発明の請求項１に係る斜板式圧縮機のスラストころ軸受は、斜板式圧縮機の回転部位に配置されるスラストころ軸受であって、
内・外径側の両環状部と、これら両環状部を連結しかつ複数のころを転動可能に保持するポケットを区画形成する柱部とを有する保持器を備え、
前記保持器の柱部は、径方向中間部と、径方向両側部と、これら径方向中間部及び径方向両側部を連結する傾斜連結部とを有し、
前記柱部の傾斜連結部の端面には、周方向へ窪みかつ前記径方向両側部側から前記径方向中間部側へ向かって逐次深くなる傾斜状の底面を有する傾斜溝が形成されていることを特徴とする。
【０００６】
前記構成によると、軸受回転時において、柱部の傾斜連結部の端面に形成された傾斜溝ではころとの接触が回避されるため、この分だけころの外周面の油膜切れを抑制することができる。この結果、斜板式圧縮機のスラストころ軸受の耐摩耗性、耐焼き付き性の向上を良好に図ることができ耐久性に優れる。
【０００７】
請求項２に係る斜板式圧縮機のスラストころ軸受は、請求項１に記載の斜板式圧縮機のスラストころ軸受であって、
傾斜溝の底面の径方向両側部側に位置する片側縁はアール面又は湾曲面をもって傾斜連結部の端面に連続していることを特徴とする。
【０００８】
前記構成によると、傾斜溝の底面の径方向両側部側に位置する片側縁がアール面又は湾曲面をもって傾斜連結部の端面に連続するため、当該部分にころの外周面が接触したとしてもころの外周面の油膜切れを抑制することができる。言い換えると、エッジ当たりによるころの外周面の油膜切れをより良好に防止することができる。
【０００９】
請求項３に係る斜板式圧縮機のスラストころ軸受は、請求項１又は２に記載の斜板式圧縮機のスラストころ軸受であって、
傾斜溝は、ポケットの打ち抜き加工と同時に形成されることを特徴とする。
【００１０】
前記構成によると、保持器のポケットの打ち抜き加工と同時に、柱部の傾斜連結部の端面に傾斜溝を容易に形成することができる。
また、打ち抜き加工によって、傾斜溝の傾斜状の底面に剪断面と破断面（剪断面と比べ表面がいびつで荒い面）とが形成されたとしても、傾斜状の底面ではころとの接触が良好に回避される。
すなわち、傾斜溝が形成されていない従来の保持器においては、柱部の傾斜連結部の端面に剪断面と破断面とが形成されることがあり、この場合には、破断面によってころの外周面の油膜切れが生じやすくなるが、この発明ではこのような不具合を良好に防止することができる。
【発明を実施するための最良の形態】
【００１１】
次に、この発明を実施するための最良の形態を実施例にしたがって説明する。
【実施例】
【００１２】
（実施例１）
この発明の実施例１を図面にしたがって説明する。
図１はこの発明の実施例１に係る斜板式圧縮機にスラストころ軸受が組み付けられた状態を示す説明図である。図２はスラストころ軸受を示す側断面図である。図３は保持器の一部を破断して示す斜視図である。図４は保持器の一部を示す平面図である。図５は保持器の内・外径側の両環状部と柱部との関係を拡大して示す側断面図である。図６は保持器のポケットを拡大して示す平面図である。図７は図６のＶＩ−ＶＩ線に基づく断面図である。
【００１３】
図１に示すように、この実施例１に係る斜板式圧縮機のスラストころ軸受（スラスト針状ころ軸受も含む）１０は、第１、第２のシリンダの両ボス部５０、５５の端面に形成された受け座としての環状突部５１、５６と、斜板６０のボス部６１の両端面に形成された環状突部６２、６３との間に両軌道輪７０、７１を介して配設される。
また、第１、第２のシリンダの両ボス部５０、５５の環状突部５１、５６の外径寸法は、斜板６０のボス部６１の環状突部６２、６３の内径寸法よりも小さく設定されている。そして、両軌道輪７０、７１が円すい状に弾性変形して撓んだ状態で組み付けられ、この状態において、図１に示す矢印Ｐ、Ｑ方向へのアキシャル荷重がスラストころ軸受１０に負荷されるようになっている。
【００１４】
なお、斜板式圧縮機は周知のように、第１、第２のシリンダの両ボス部５０、５５と斜板６０のボス部６１の中心孔にわたって嵌挿された駆動軸７５が回転されると、これと一体状をなして斜板６０が回転され、この斜板６０に基づいてピストンが往復動されるようになっている（例えば、特開２００５−９８１４号公報参照）。
【００１５】
図２に示すように、スラストころ軸受１０は、複数個のころ１１と、保持器２０とを備えている。
図３〜図５に示すように、保持器２０は、鋼板のプレス加工によって形成され、内径側環状部２１と、外径側環状部２２と、これら内・外径側の両環状部２１、２２の周方向に所定間隔を隔てて掛け渡されてポケット２３を区画形成する複数の柱部２４とを備えて断面略Ｍ字状をなしている。
図５に示すように、保持器２０の柱部２４は、径方向中間部２５と、径方向両側部２６と、これら径方向中間部２５及び径方向両側部２６を連結する傾斜連結部２７とを有している。
さらに、各ポケット２３は隣接する柱部２４の間にプレスの打ち抜き加工によって形成され、これら各ポケット２３にはころ１１が転動可能に保持される。
また、図６と図７に示すように、ポケット２３内のころ１１を抜け止めするために、隣接する柱部２４の相対する面の径方向中間部２５及び径方向両側部２６の端面には、ポケット２３内に向けて対向状に突出する抜止爪２８、２９がそれぞれ形成されている。
【００１６】
図３と図６に示すように、保持器２０の柱部２４の傾斜連結部２７の端面には、周方向に窪みかつ径方向両側部側から径方向中間部側へ向かって逐次深くなる傾斜状の底面３１を有してころ１１との接触を回避する傾斜溝３０が形成されている。
また、この実施例１において、傾斜溝３０の底面３１の径方向両側部２６側に位置する片側縁はアール面（又は湾曲面）３２をもって傾斜連結部２７の端面に連続している。
また、この実施例１において、傾斜溝３０は、ポケット２３の打ち抜き加工と同時に形成されると共に、ポケット２３の打ち抜き方向（軸方向に平行する方向）に延びている。
さらに、傾斜溝３０は、傾斜連結部２７の径方向両側部２６側から径方向中間部２５側へ向けて打ち抜かれて傾斜連結部２７のほぼ全長にわたって形成されると共に、径方向両側部２６側においては、その打ち抜き幅が小さく径方向中間部２５側に向けて打ち抜き幅がしだいに増大されて径方向中間部２５の抜止爪２８の両側部まで形成されている。
【００１７】
この実施例１に係る斜板式圧縮機のスラストころ軸受は上述したように構成される。
したがって、図１に示すように、斜板式圧縮機の第１、第２のシリンダの両ボス部５０、５５の環状突部５１、５６と、斜板６０のボス部６１の両環状突部６２、６３との間に両軌道輪７０、７１を介してスラストころ軸受１０が配設される。
斜板式圧縮機の作動時のスラストころ軸受１０の軸受回転時において、保持器２０の柱部２４の傾斜連結部２７の端面に形成された傾斜溝３０ではころ１１との接触が回避される。このため、傾斜溝３０によってころ１１との接触を回避した分だけころ１１の外周面の油膜切れを抑制することができる。この結果、スラストころ軸受１０の耐摩耗性、耐焼き付き性の向上を良好に図ることができ耐久性に優れる。
【００１８】
また、この実施例１において、図６に示すように、傾斜溝３０の底面３１の径方向両側部２６側に位置する片側縁がアール面（又は湾曲面等も含む）３２をもって傾斜連結部２７の端面に連続するため、アール面３２にころ１１の外周面が接触したとしてもころ１１の外周面の油膜切れを抑制することができる。言い換えると、エッジ当たりによるころ１１の外周面の油膜切れをより良好に防止することができる。
【００１９】
また、この実施例１において、保持器２０のポケット２３を打ち抜き加工すると同時に、その打ち抜き方向に沿って（平行して）柱部２４の傾斜連結部２７の端面に傾斜溝３０を形成するため、後加工によって傾斜溝３０を形成する場合と比べ加工が容易で加工コストの低減を図ることができる。
また、傾斜溝３０の底面３１に打ち抜き加工による剪断面と破断面（剪断面と比べ表面がいびつで荒い面）とが形成されたとしても、傾斜溝３０の底面３１ではころ１１との接触が回避される。
すなわち、傾斜溝３０が形成されていない従来の保持器においては、柱部２４の傾斜連結部２７の端面に、ポケット２３の打ち抜き加工による剪断面と破断面とが形成されて、その破断面によってころ１１の外周面の油膜切れが生じやすくなるが、前記したようにして、傾斜溝３０を形成することで、ころ１１の外周面の油膜切れを良好に抑制することができる。
【００２０】
なお、この発明は前記実施例１に限定するものではなく、この発明の要旨を逸脱しない範囲内において、種々の形態で実施可能である。
例えば、前記実施例１においては、傾斜溝３０は、傾斜連結部２７の径方向両側部２６側から径方向中間部２５側へ向けて打ち抜かれて傾斜連結部２７のほぼ全長にわたって形成される場合を例示したが、例えば、保持器２０の柱部２４の径方向中間部２５側から傾斜連結部２７のほぼ半分程度の長さ（径方向両側部２６に至らない長さ）にわたる部分に傾斜溝３０を形成してもこの発明を実施することが可能である。
また、保持器２０の柱部２４の傾斜連結部２７に形成される傾斜溝３０として、傾斜が直線状のものを図示したが、アール状、湾曲状等であってもよい。
【図面の簡単な説明】
【００２１】
【図１】この発明の実施例１に係る斜板式圧縮機にスラストころ軸受が組み付けられた状態を示す説明図である。
【図２】同じくスラストころ軸受を示す側断面図である。
【図３】同じく保持器の一部を破断して示す斜視図である。
【図４】同じく保持器の一部を示す平面図である。
【図５】同じく保持器の内・外径側の両環状部と柱部との関係を拡大して示す側断面図である。
【図６】同じく保持器のポケットを拡大して示す平面図である。
【図７】同じく図６のＶＩ−ＶＩ線に基づく断面図である。
【符号の説明】
【００２２】
１０  スラストころ軸受
１１  ころ
２０  保持器
２１  内径側環状部
２２  外径側環状部
２３  ポケット
２４  柱部
２５  径方向中間部
２６  径方向両側部
２７  傾斜連結部
３０  傾斜溝
３１  底面
３２  アール面
５０  第１のシリンダのボス部
５５  第２のシリンダのボス部
６０  斜板
６１  ボス部
【図１】
2010101443.tif 000003
【図２】
2010101443.tif 000004
【図３】
2010101443.tif 000005
【図４】
2010101443.tif 000006
【図５】
2010101443.tif 000007
【図６】
2010101443.tif 000008
【図７】
2010101443.tif 000009